(57)【要約】本発明は、ＬＣＤディスプレイのバックライトとして働く領域的範囲に沿って領域的範囲とは独立に切り替えられうるとともに、情報の表示用として働く１つまたは複数の追加領域を有することを特徴とするＯＬＥＤバックライトを有するＬＣＤディスプレイ、およびこのＬＣＤディスプレイの使用法に関する。  【代表図】  図２
2009537971.tif 000002
【特許請求の範囲】
【請求項１】
ＯＬＥＤバックライトを有するＬＣＤディスプレイであって、前記ＯＬＥＤバックライトは、ＬＣＤディスプレイのバックライトとして働く領域的範囲のほかに、前記領域的範囲とは独立に切替え可能でかつ情報のディスプレイとして働く１つまたは複数の追加領域を有することを特徴とする、ＯＬＥＤバックライトを有するＬＣＤディスプレイ。
【請求項２】
少なくとも１つの前記追加領域の寸法は少なくとも４ｍｍ２であることを特徴とする、請求項１に記載のＬＣＤディスプレイ。
【請求項３】
少なくとも１つの前記追加領域は輝度、色および／または形状がＬＣＤのバックライトとして働く領域的範囲とは異なることを特徴とする、請求項１または２に記載のＬＣＤディスプレイ。
【請求項４】
少なくとも１つの前記追加領域は前記ＬＣＤディスプレイの奥に位置するように前記ＯＬＥＤバックライトに設けられることを特徴とする、請求項１〜３の少なくとも１項に記載のＬＣＤディスプレイ。
【請求項５】
前記少なくとも１つの追加領域は前記ＬＣＤディスプレイの側面、上方および／または下方に設けられることを特徴とする、請求項１〜３の少なくとも１項に記載のＬＣＤディスプレイ。
【請求項６】
前記ＬＣＤディスプレイの奥に位置し、少なくとも１つの追加領域が前記ＬＣＤディスプレイの側面、上方および／または下方に設けられように、少なくとも１つの追加領域がＯＬＥＤバックライトに設けられることを特徴とする、請求項４および５に記載のＬＣＤディスプレイ。
【請求項７】
ディスプレイとしての前記請求項の少なくとも１項に記載のＬＣＤディスプレイの使用法。
【請求項８】
ディスプレイ画面としての、請求項７に記載の使用法。
【請求項９】
ＰＣモニタ、ノートブックコンピュータ、ラップトップコンピュータ、およびテレビにおけるディスプレイ画面としての、請求項８に記載の使用法。
【請求項１０】
移動式エンターテインメント電子装置におけるディスプレイとしての、請求項７に記載の使用法。
【請求項１１】
ＰＤＡ、ゲーム機、携帯電話、時計、および電卓におけるディスプレイとしての、請求項１０に記載の使用法。
【請求項１２】
表示および／または制御要素におけるディスプレイとしての、請求項７に記載の使用法。
【請求項１３】
自動車、列車、船舶、および航空機の表示要素ならびに制御要素におけるディスプレイとしての、請求項１２に記載の使用法。
【発明の詳細な説明】
【技術分野】
【０００１】
本発明は、ＯＬＥＤ（有機発光ダイオード）バックライトを有する機能集積化液晶ディスプレイ（ＬＣＤ）と、およびこの機能集積化液晶ディスプレイの使用法とに関する。
【背景技術】
【０００２】
近年に至って、ＬＣＤディスプレイは急速な発展を遂げている。あらゆる種類の携帯電話、ラップトップコンピュータ、パームコンピュータ、ナビゲーションシステム、測定機器、およびディスプレイ装置、ノートブックコンピュータ、モニタ、ならびにテレビを問わず、液晶（ＬＣ）はほとんどすべての電子装置のディスプレイで見られる。この種の電子装置は、さらに、測定機器、通信装置、画像装置、ゲーム機、冷暖房機器、時計、家電製品、および小型電気器具を含む。さらに、液晶は、例えば、自動車、列車、航空機、船舶、および機械、ならびに建造物内外において情報の表示用ディスプレイに使用される。
【０００３】
現在、ＬＣＤディスプレイは、一般に、ＬＥＤ（発光ダイオード）またはＣＣＦＬ（冷陰極蛍光ランプ）を使って照射される。ＬＣＤディスプレイの照射では、特に平板的構造が必要な場合や望ましい場合、これらは一般に光導波路に結合される。一般に、光導波路は側面でＬＥＤ／ＣＣＦＬに結合される。このとき、表面から出て結合される光は、光導波路に加えられる散乱の中心を通って出る。しかし、領域ごとに切り替えられうる光の構造出口（structured exit）はこのようなわけにはいかない。
【０００４】
ＬＣＤディスプレイにバックライトとしてＯＬＥＤを使用することについては、数多くの出版物および特許出願書類に記載されている。しかし、この種の製品は現在のところまだ市販されていない。
【０００５】
このようなわけで、ＯＬＥＤバックライトを有するＬＣＤディスプレイは、例えば、国際出願ＷＯ第９９／５４７８０Ａ１号、米国特許第２００４／０１６４２９２Ａ１号、および米国特許第２００５／０００７５１７Ａ１号に記載されている。ＯＬＥＤバックライトを使用すると、薄型構造を有する反射型、半透過型、および透過型ＬＣＤディスプレイが実現されうる。
【０００６】
米国特許第２００６／００６６２２７Ａ１号には、第１および第２のディスプレイを備えるディスプレイモジュールを含む２つのビューウィンドウを有する電子装置が開示されており、ここでは、第１のディスプレイ（例えば、ＬＣＤ）は第１のビューウィンドウを通じて観察可能であり、第２のディスプレイ（例えば、ＯＬＥＤ）は第２のビューウィンドウを通じて観察可能である。第２のディスプレイによって放射される光は、第１のディスプレイ用のバックライトとして働く。ＯＬＥＤはＬＣＤ専用のバックライトとして働く。
【０００７】
独国特許（ＤＥ）第１０１ ３９ ８５４Ａ１号には、ＬＣＤ（液晶ディスプレイ）がポリＬＥＤ（ポリマー発光電子装置）ディスプレイまたはＯＬＥＤ（有機発光電子装置）ディスプレイと組み合わせられることを特徴とするＬＣＤ（液晶ディスプレイ）を有するディスプレイ装置が記載されている。ただし、ポリＬＥＤまたはＯＬＥＤは、より均一で改良された照明にもっぱら役立てられる。これは、ポリＬＥＤディスプレイまたはＯＬＥＤディスプレイが非構造化設計（unstructured design）を有するがゆえに実現される。
【０００８】
国際出願ＷＯ第２００５／０１１２９３Ａ１号には、２次元だけでなく３次元ディスプレイとしても採用されうるディスプレイが開示されている。このディスプレイは、光源（例えば、ＯＬＥＤ）および光度を変調する変調器の配列を有する。光源としてのＯＬＥＤは、非構造化または構造化されうる。ただし、光源はバックライト専用として働く。
【先行技術文献】
【特許文献】
【０００９】
【特許文献１】国際出願ＷＯ第９９／５４７８０Ａ１号
【特許文献２】米国特許第２００４／０１６４２９２Ａ１号
【特許文献３】米国特許第２００５／０００７５１７Ａ１号
【特許文献４】米国特許第２００６／００６６２２７Ａ１号
【特許文献５】独国特許（ＤＥ）第１０１ ３９ ８５４Ａ１号
【特許文献６】国際出願ＷＯ第２００５／０１１２９３Ａ１号
【発明の概要】
【００１０】
すべての情報はＬＣＤディスプレイを介して以外に入手できないうえに、バックライト以外はＬＣＤディスプレイのバックライト機能を有していないことは、ＬＥＤまたはＣＣＦＬバックライトだけでなくＯＬＥＤバックライトを有する公知のＬＣＤディスプレイにおける欠点である。
【００１１】
したがって、先行技術の前述された欠点を有することがなく、かつＬＣＤディスプレイを介して追加情報を提供するために使用されうるＯＬＥＤバックライトを有するＬＣＤディスプレイを提供することが本発明の目的とされる。
【００１２】
この目的は、本発明にしたがって、構造化ＯＬＥＤバックライト、すなわち、人間の目に見えあるいは人間の目によって見分けることができ、順次処理が可能であり、それゆえに選択的に切替え可能な１つまたは複数の領域を有するＯＬＥＤバックライトを有するＬＣＤディスプレイによって実現される。
【００１３】
それゆえ、本発明は、ＯＬＥＤバックライトが、ＬＣＤディスプレイのバックライトとして働く領域的範囲のほかに、領域的範囲とは独立に切替え可能でかつ情報のディスプレイとして働く１つまたは複数の追加領域を有することを特徴とする、ＯＬＥＤバックライトを有するＬＣＤディスプレイに関する。
【００１４】
これによって、ＬＣＤディスプレイのみによらずに、さらにＯＬＥＤバックライトによっても情報を提供することができる。
【００１５】
ＬＣＤディスプレイの一般的構造および機能モードは、当業者には公知である。構築は当業者に公知の任意の方法で無制限に行なわれうる。これは、例えば、Ｐ．Ｍ．Ｋｎｏｌｌ著「ディスプレイ（Displays）」Ａ．フッシング出版、ハイデルベルグ（A. Huthing Verlag, Heidelberg）に記載されている。
【００１６】
また、ＯＬＥＤバックライトの構築は、当業者に公知である任意の方法で行なわれうる。ＯＬＥＤは、一般に、例えば、インジウムスズ酸化物（「ＩＴＯ」）などの透明電極で被覆されたガラス基板またはプラスチック基板を有する。この種の被覆基板は市販されている。この被覆基板は、少なくとも１層のエレクトロルミネッセンス有機物質の薄膜、および第２の電極を形成し一般に金属または合金の追加的な層で被覆される。さらに、ＯＬＥＤバックライトは、例えば、正孔および／または電子輸送層などの追加的な層、および、オプションとして、例えば、電極とエレクトロルミネッセンス材料の間の電荷輸送を改善する追加的な層を有することができる。
【００１７】
ここでＯＬＥＤに採用されうる発光物質は、低分子量化合物（いわゆる、「小分子」）の他に、例えば、国際出願ＷＯ第９０／１３１４８Ａ１号および米国特許第４５３９５０７号に記載されるようなポリマーである。さらに、ＯＬＥＤは、例えば、赤色、緑色、または青色の発光ポリマーの使用、ならびにカラーＯＬＥＤまたは白色ＯＬＥＤおよび対応するカラーフィルタの使用によって単色設計または多色設計を有しうる。
【００１８】
本発明によるＯＬＥＤバックライトは、ＬＣＤディスプレイのバックライトとして働く残りの領域的範囲とは独立に切替え可能な１つまたは複数の領域を有するという事実のみを特徴とする。
【００１９】
少なくとも１つの追加領域は情報の表示用に採用されるためのものであるため、その寸法は人間の目に見えあるいは人間の目によって見分けることができなければならない。少なくとも１つの追加領域の寸法は、少なくとも４ｍｍ２であることが好ましく、少なくとも２５ｍｍ２であることが特に好ましく、とりわけ少なくとも６４ｍｍ２が好ましい。
【００２０】
少なくとも１つの追加領域は、輝度、色および／または形状がＬＣＤのバックライトとして働く領域的範囲とは異なっていてもよい。
【００２１】
さらに、少なくとも１つの追加領域は、バックライトとして働く領域的範囲内に任意の所望の方法で設けられうる。
【図面の簡単な説明】
【００２２】
【図１】自動車機器表示におけるＴＮセルを象徴的に示す。
【図２】ＯＬＥＤバックライトがＬＣＤディスプレイよりも大きい面積を有する、さらに好ましい実施形態を象徴的に示す。
【発明を実施するための形態】
【００２３】
好ましい実施形態において、少なくとも１つの追加領域はＬＣＤディスプレイの奥に位置するようにＯＬＥＤバックライトに設けられる。このような方法で、所望の情報はＬＣＤディスプレイに直接重畳されうる。
【００２４】
さらに好ましい実施形態において、ＯＬＥＤバックライトは、ＬＣＤディスプレイよりも大きい面積を有する。この場合、少なくとも１つの追加領域をＬＣＤディスプレイの側面、上方および／または下方に設けることが可能である。こうして、所望の情報は、例えば、ＬＣＤディスプレイに沿って表示されうる。
【００２５】
２つの好ましい実施形態を結合することも当然可能であり、すなわち、ＬＣＤディスプレイの奥に設けられる少なくとも１つの追加領域と、ＬＣＤディスプレイの上方、下方、またはＬＣＤディスプレイに沿って設けられる少なくとも１つの領域が存在する。
【００２６】
ＬＣＤディスプレイだけでなくＯＬＥＤバックライトも、当業者には公知のすべてのプロセスによって生産されうる。
【００２７】
さらに好ましい実施形態において、入射太陽光線がＯＬＥＤの金属陰極で反射されるようにＯＬＥＤはＬＣＤの奥に設けられ、ＬＣＤは反射光を散乱するために使用されうる。ＯＬＥＤまたはＬＣＤの様々な領域は、本発明に従って、様々な反射率ひいては様々な輝度を有しうる。
【００２８】
ただし、他の実施形態において、ＯＬＥＤの陰極を、陰極における反射が実質的に回避されうるように設計することもできる。この場合、入射太陽光線は、反射されないか、反射されても取るに足らない程度である。
【００２９】
本発明は、さらに、本発明に従ってＯＬＥＤバックライトを有するＬＣＤディスプレイの使用法に関する。あらゆる場合において、これらは公知のＬＣＤディスプレイの代りに採用されうる。ただし、好ましい用途は、例えば、ＰＣモニタ、ノートブックコンピュータ、ラップトップコンピュータ、およびテレビなどのディスプレイ画面、例えば、ＰＤＡ、ゲーム機、携帯電話、時計、および電卓などの移動式エンターテインメント電子装置、ならびに、例えば、自動車（例えば、車両機器表示、車両変速レバーなどにおける）、列車、船舶、および航空機などの表示要素および／または制御要素にある。このほかに、表示要素および制御要素として考えられる用途は、屋内電気器具および庭設備、測定機器および計測器、例えば、体温計、血糖測定器などの携帯式および固定式の医療技術、例えば、屋内通信システム、スイッチ、光源、標識、経路制御システムなどの屋内、ならびにホームトレーナなどのスポーツ用品およびレジャー用品に見られる。
【００３０】
本発明は、好ましい実施形態を参照して以下にさらに詳しく説明されるが、これらに限定されるものではない。
【００３１】
図１は、自動車機器表示におけるＴＮセルを象徴的に示す。テキスト情報「燃料残量低下（Fuel low）」はＬＣＤディスプレイによって表示される。対応するシンボルは、本発明によるＯＬＥＤバックライトの少なくとも１つの追加領域によって、例えば、通常のバックライトとは異なる色で追加表示される。さらに、例えば、燃料液面高さも同様にタンクシンボルの上方にＯＬＥＤバックライトに由来する小さいＬＣＤバーによって表示されうる。
【００３２】
図２は、ＯＬＥＤバックライトがＬＣＤディスプレイよりも大きい面積を有する、さらに好ましい実施形態を象徴的に示す。この場合、追加領域は、ＬＣＤディスプレイの上方だけでなくＬＣＤディスプレイ内にも設けられる。
【図１】
2009537971.tif 000003
【図２】
2009537971.tif 000004
【国際調査報告】
2009537971.tif 000005
2009537971.tif 000006
2009537971.tif 000007
2009537971.tif 000008